【手続補正書】
【提出日】平成16年10月8日(2004.10.8)
【手続補正１】
【補正対象書類名】明細書
【補正対象項目名】発明の名称
【補正方法】変更
【補正の内容】
【発明の名称】情報配信方法および情報配信システム
【手続補正２】
【補正対象書類名】明細書
【補正対象項目名】特許請求の範囲
【補正方法】変更
【補正の内容】
【特許請求の範囲】
【請求項１】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信し、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置マーク付の着目位置周辺の地図データと着目位置情報が返信されると前者の地図データに基づき着目位置周辺の着目位置マーク付の地図を表示し、経路探索が指示されると着目位置を目的地、現在位置検出手段で検出されている現在位置を出発地とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データを参照して経路探索条件の示す出発地から目的地までを結ぶ最適な経路を探索し、該探索した最適経路の情報を要求元の情報端末に返信するようにしたこと、を特徴とする情報配信方法。
【請求項２】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報とを付随させるようにし、また、外部の情報端末から経路探索条件の情報を付随した経路探索要求が有ると、道路データを参照して経路探索条件の示す出発地から目的地までを結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置周辺の着目位置マーク付の地図とリンクを表示し、該リンクが選択されると、着目位置を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴とする情報配信方法。
【請求項３】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段と、日時を計時する計時手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信するようにし、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データ及び公共機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置周辺の着目位置マーク付の地図データと着目位置情報が返信されると前者の地図データに基づき着目位置周辺の着目位置マーク付の地図を表示し、経路探索が指示されると着目位置を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データ及び交通機関の時刻表データを参照して経路探索条件に従い出発地から目的地までを徒歩と交通機関で結ぶ最適な経路を探索し、該探索した最適経路の情報を要求元の情報端末に返信するようにしたこと、を特徴とする情報配信方法。
【請求項４】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段と、日時を計時する計時手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データ及び交通機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報を付随させるようにし、外部の情報端末から経路探索条件の情報を付随した経路探索要求が有ると、道路データ及び交通機関の時刻表データを参照して経路探索条件に従い出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置マーク付の着目位置周辺の地図とリンクを表示し、該リンクが選択されると、着目位置を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をするようにしたこと、を特徴とする情報配信方法。
【請求項５】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、第２の情報配信事業者用のコンピュータシステムは日時を計時する計時手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信するようにし、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データ及び公共機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置周辺の着目位置マーク付の地図データと着目位置情報が返信されると前者の地図データに基づき着目位置周辺の着目位置マーク付の地図を表示し、経路探索が指示されると着目位置を目的地、現在位置検出手段で検出されている現在位置を出発地とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データ及び交通機関の時刻表データを参照して経路探索条件の示す出発地から目的地までを、現在日時を出発地出発予定日時として徒歩と交通機関で結ぶ最適な経路を探索し、該探索した最適経路の情報を要求元の情報端末に返信するようにしたこと、を特徴とする情報配信方法。
【請求項６】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、第２の情報配信事業者用のコンピュータシステムは日時を計時する計時手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データ及び交通機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報を付随させるようにし、外部の情報端末から経路探索条件の情報を付随した経路探索要求が有ると、道路データ及び交通機関の時刻表データを参照して、経路探索条件の示す出発地から目的地までを、現在日時を出発地出発予定日時として徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置マーク付の着目位置周辺の地図とリンクを表示し、該リンクが選択されると、着目位置を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴とする情報配信方法。
【請求項７】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信し、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置マーク付の着目位置周辺の地図データと着目位置情報が返信されると前者の地図データに基づき着目位置周辺の着目位置マーク付の地図を表示し、経路探索が指示されると着目位置を目的地、現在位置検出手段で検出されている現在位置を出発地とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データを参照して経路探索条件の示す出発地から目的地までを結ぶ最適な経路を探索し、該探索した最適経路の情報を要求元の情報端末に返信するようにしたこと、を特徴とする情報配信システム。
【請求項８】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報とを付随させるようにし、また、外部の情報端末から経路探索条件の情報を付随した経路探索要求が有ると、道路データを参照して経路探索条件の示す出発地から目的地までを結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置周辺の着目位置マーク付の地図とリンクを表示し、該リンクが選択されると、着目位置を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴とする情報配信システム。
【請求項９】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段と、日時を計時する計時手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信するようにし、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データ及び公共機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置周辺の着目位置マーク付の地図データと着目位置情報が返信されると前者の地図データに基づき着目位置周辺の着目位置マーク付の地図を表示し、経路探索が指示されると着目位置を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データ及び交通機関の時刻表データを参照して経路探索条件に従い出発地から目的地までを徒歩と交通機関で結ぶ最適な経路を探索し、該探索した最適経路の情報を要求元の情報端末に返信するようにしたこと、を特徴とする情報配信システム。
【請求項１０】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段と、日時を計時する計時手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データ及び交通機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報を付随させるようにし、外部の情報端末から経路探索条件の情報を付随した経路探索要求が有ると、道路データ及び交通機関の時刻表データを参照して経路探索条件に従い出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置マーク付の着目位置周辺の地図とリンクを表示し、該リンクが選択されると、着目位置を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をするようにしたこと、を特徴とする情報配信システム。
【請求項１１】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、第２の情報配信事業者用のコンピュータシステムは日時を計時する計時手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信するようにし、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データ及び公共機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置周辺の着目位置マーク付の地図データと着目位置情報が返信されると前者の地図データに基づき着目位置周辺の着目位置マーク付の地図を表示し、経路探索が指示されると着目位置を目的地、現在位置検出手段で検出されている現在位置を出発地とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データ及び交通機関の時刻表データを参照して経路探索条件の示す出発地から目的地までを、現在日時を出発地出発予定日時として徒歩と交通機関で結ぶ最適な経路を探索し、該探索した最適経路の情報を要求元の情報端末に返信するようにしたこと、を特徴とする情報配信システム。
【請求項１２】
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、第２の情報配信事業者用のコンピュータシステムは日時を計時する計時手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データ及び交通機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報を付随させるようにし、外部の情報端末から経路探索条件の情報を付随した経路探索要求が有ると、道路データ及び交通機関の時刻表データを参照して、経路探索条件の示す出発地から目的地までを、現在日時を出発地出発予定日時として徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置マーク付の着目位置周辺の地図とリンクを表示し、該リンクが選択されると、着目位置を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴とする情報配信システム。
【手続補正３】
【補正対象書類名】明細書
【補正対象項目名】０００１
【補正方法】変更
【補正の内容】
【０００１】
【発明の属する技術分野】
本発明は情報配信方法および情報配信システムに係り、とくに通信機能を有する情報端末のユーザが、情報配信事業者から案内情報を入手した所望の興味対象場所へ行くための最適な経路を速やかに探索できるようにした情報配信方法および情報配信システムに関する。
【手続補正４】
【補正対象書類名】明細書
【補正対象項目名】０００６
【補正方法】変更
【補正の内容】
【０００６】
【発明が解決しようとする課題】
けれども、上記した従来の情報配信サービスシステムでは、所望のＰＯＩの場所を地図上で確認することはできるが、現在位置から車や徒歩と交通機関の組み合わせでどのような経路で行けば短い時間で到達できるかは知ることができなかった。本発明は上記した従来技術の問題に鑑み、情報端末を用いて簡単に所望ＰＯＩへの最適経路を探索可能とした情報配信方法および情報配信システムを提供することを、その目的とする。
【手続補正５】
【補正対象書類名】明細書
【補正対象項目名】０００７
【補正方法】変更
【補正の内容】
【０００７】
【課題を解決するための手段】
本発明の請求項１記載の情報配信方法または請求項７に記載の情報配信システムは、
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法または情報配信システムにおいて、
情報端末は現在位置を検出する現在位置検出手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信し、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置マーク付の着目位置周辺の地図データと着目位置情報が返信されると前者の地図データに基づき着目位置周辺の着目位置マーク付の地図を表示し、経路探索が指示されると着目位置を目的地、現在位置検出手段で検出されている現在位置を出発地とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データを参照して経路探索条件の示す出発地から目的地までを結ぶ最適な経路を探索し、該探索した最適経路の情報を要求元の情報端末に返信するようにしたこと、を特徴としている。
【手続補正６】
【補正対象書類名】明細書
【補正対象項目名】０００８
【補正方法】変更
【補正の内容】
【０００８】
本発明の請求項２記載の情報配信方法または請求項８に記載の情報配信システムは、
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法または情報配信システムにおいて、
情報端末は現在位置を検出する現在位置検出手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報とを付随させるようにし、また、外部の情報端末から経路探索条件の情報を付随した経路探索要求が有ると、道路データを参照して経路探索条件の示す出発地から目的地までを結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置周辺の着目位置マーク付の地図とリンクを表示し、該リンクが選択されると、着目位置を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴としている。
【手続補正７】
【補正対象書類名】明細書
【補正対象項目名】０００９
【補正方法】変更
【補正の内容】
【０００９】
本発明の請求項３記載の情報配信方法または請求項９に記載の情報配信システムは、
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法または情報配信システムにおいて、
情報端末は現在位置を検出する現在位置検出手段と、日時を計時する計時手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信するようにし、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データ及び公共機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置周辺の着目位置マーク付の地図データと着目位置情報が返信されると前者の地図データに基づき着目位置周辺の着目位置マーク付の地図を表示し、経路探索が指示されると着目位置を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データ及び交通機関の時刻表データを参照して経路探索条件に従い出発地から目的地までを徒歩と交通機関で結ぶ最適な経路を探索し、該探索した最適経路の情報を要求元の情報端末に返信するようにしたこと、を特徴としている。
【手続補正８】
【補正対象書類名】明細書
【補正対象項目名】００１０
【補正方法】変更
【補正の内容】
【００１０】
本発明の請求項４記載の情報配信方法または請求項１０に記載の情報配信システムは、
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法または情報配信システムにおいて、
情報端末は現在位置を検出する現在位置検出手段と、日時を計時する計時手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データ及び交通機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報を付随させるようにし、外部の情報端末から経路探索条件の情報を付随した経路探索要求が有ると、道路データ及び交通機関の時刻表データを参照して経路探索条件に従い出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置マーク付の着目位置周辺の地図とリンクを表示し、該リンクが選択されると、着目位置を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をするようにしたこと、を特徴としている。
【手続補正９】
【補正対象書類名】明細書
【補正対象項目名】００１１
【補正方法】変更
【補正の内容】
【００１１】
本発明の請求項５記載の情報配信方法または請求項１１に記載の情報配信システムは、
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法または情報配信システムにおいて、
情報端末は現在位置を検出する現在位置検出手段を有し、第２の情報配信事業者用のコンピュータシステムは日時を計時する計時手段を有し、
第１の情報配信事業者用のコンピュータシステムは、多数の興味対象場所の案内情報を位置情報とともに蓄積手段に蓄積しており、外部の情報端末から所望の興味対象場所の案内情報の要求が有ると、蓄積手段から所望の興味対象場所の案内情報と位置情報を読み出し、要求元の情報端末に返信するようにし、
情報端末は第１の情報配信事業者用のコンピュータシステムから所望の興味対象場所の案内情報と位置情報が返信されると、前者の案内情報を表示し、当該所望興味対象場所の所在地図の取得が指示されると、当該所望興味対象場所の位置情報を着目位置情報として第２の情報配信事業者用のコンピュータシステムに対し所在地図情報を要求し、
第２の情報配信事業者用のコンピュータシステムは、地図表示用の地図データと、経路探索用の道路データ及び公共機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、着目位置情報も合わせて返信するようにし、
情報端末は第２の情報配信事業者用のコンピュータシステムから着目位置周辺の着目位置マーク付の地図データと着目位置情報が返信されると前者の地図データに基づき着目位置周辺の着目位置マーク付の地図を表示し、経路探索が指示されると着目位置を目的地、現在位置検出手段で検出されている現在位置を出発地とした経路探索条件を自動設定し、第２の情報配信事業者用のコンピュータシステムに対し経路探索条件の情報を付随した経路探索要求をし、
第２の情報配信事業者用のコンピュータシステムは、外部の情報端末から経路探索要求が有ると、経路探索用の道路データ及び交通機関の時刻表データを参照して経路探索条件の示す出発地から目的地までを、現在日時を出発地出発予定日時として徒歩と交通機関で結ぶ最適な経路を探索し、該探索した最適経路の情報を要求元の情報端末に返信するようにしたこと、を特徴としている。
【手続補正１０】
【補正対象書類名】明細書
【補正対象項目名】００１２
【補正方法】変更
【補正の内容】
【００１２】
本発明の請求項６記載の情報配信方法または請求項１２に記載の情報配信システムは、
興味対象場所の案内情報の配信を行う第１の情報配信事業者用のコンピュータシステムと、地図情報及び最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、第２の情報配信事業者用のコンピュータシステムは日時を計時する計時手段を有し、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、地図表示用の地図データと、経路探索用の道路データ及び交通機関の時刻表データを蓄積手段に蓄積しており、外部の情報端末から着目位置情報付で所在地図情報の要求が有ると、着目位置周辺の地図データを蓄積手段から読み出し、着目位置マーク付で要求元に返信し、この際、第２の情報配信事業者用のコンピュータシステムが経路探索要求を受け付けるアドレスをリンク情報とするリンクと、着目位置情報を付随させるようにし、外部の情報端末から経路探索条件の情報を付随した経路探索要求が有ると、道路データ及び交通機関の時刻表データを参照して、経路探索条件の示す出発地から目的地までを、現在日時を出発地出発予定日時として徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが所在地図情報の要求を受け付けるアドレスに興味対象場所の位置情報を着目位置情報として付属させた情報をリンク情報とするリンクを付属させ、
情報端末は第１の情報配信事業者用のコンピュータシステムから所望の興味対象場所の案内情報とリンクが返信されると、案内情報とリンクを表示し、該リンクが選択されると、対応するリンク情報に基づき第２の情報配信事業者用のコンピュータシステムに対し着目位置情報付で所在地図情報の要求をし、第２の情報配信事業者用のコンピュータシステムから着目位置マーク付の着目位置周辺の地図データとリンクと着目位置情報が返信されると、着目位置マーク付の着目位置周辺の地図とリンクを表示し、該リンクが選択されると、着目位置を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴としている。
【手続補正１１】
【補正対象書類名】明細書
【補正対象項目名】００３３
【補正方法】変更
【補正の内容】
【００３３】
最適経路概要文字情報は通信部１２で受信され、コントロール部１７が記憶部１６の一時記憶領域に一時記憶させるとともに、表示部１５に表示させる（図８のステップＳ３０、Ｓ３１、Ｓ３２。図１９参照）。これにより、第１候補では、現在地を２００１年０９月２４日１０時００分に出発して○○会社××線の○○片倉駅まで徒歩で５分行き（徒歩用経路（ＲＡ））、○○会社××線の○○片倉駅で１０時０８分発の電車に乗って○○八王子駅まで行き（交通機関用経路（ＲＢ））、○○会社××線の○○八王子駅から「カブース」まで徒歩で３分行けば１０時１７分頃に到着できることが判る（徒歩用経路（ＲＣ））。また、第２候補では、現在地を２００１年０９月２４日０９時５８分に出発して△△会社□□線の△△片倉駅まで徒歩で１０分行き（徒歩用経路（ＲＤ））、△△片倉駅で１０時１０分発の電車に乗って△△北野駅まで行き（交通機関用経路（ＲＥ））、△△会社・・線の１０時１７分発に乗換え、△△八王子駅まで行き（交通機関用経路（ＲＦ））、△△八王子駅から「カブース」まで徒歩で７分行けば１０時２１分頃に到着できることが判る（徒歩用経路（ＲＧ））。
【手続補正１２】
【補正対象書類名】明細書
【補正対象項目名】００４９
【補正方法】変更
【補正の内容】
【００４９】
情報配信コンピュータシステム８０はＵＲＬg にアクセスが有ると不足分の経路案内地図要求有りと判断し（図１４のステップＳ１３４）、付随するパラメータが示す記憶場所の経路データ（ＲＡ）を読み出すとともに、付随するパラメータが示す着目位置座標を含む所定の縮尺の１単位分の地図及び該単位地図を囲む８個の単位地図の内、既に要求元に地図データの存在するものを除いて地図表示用の地図データを読み出し、経路データ（ＲＡ）を特定の色及び線種及び太さの道路として扱って地図データに組み込むとともに、経路データ（Ａ）の始端位置に始端位置マーク、終端位置に終端位置マークを地図データに組み込んだのち、要求元に返信する（ステップＳ１３３）。経路案内地図情報は通信部１２で受信され、コントロール部１７が記憶部１６の一時記憶領域に追加して一時記憶させる（ステップＳ４８）。そして、ステップＳ４４に戻り、記憶部１６の中に現在位置周辺の経路案内用の複数の単位地図（現在位置を含む１つの単位地図と該単位地図を囲む８枚の単位地図）の地図データが全て揃っているか判断し、ＹＥＳであれば、経路案内用の単位地図を用いて現在位置を中心とする１画面分の地図画像を描画して表示部１５に表示させる（ステップＳ４５）。以下、同様の動作を繰り返すことで、徒歩で出発後、画面には現在位置を中心とし、徒歩用経路（ＲＡ）と現在位置マーク（ＰＭ）の表示された地図が表示されるので（図２４参照）、道をさがさなくても間違いなく簡単に目的とする○○片倉駅に到着できる。
【手続補正１３】
【補正対象書類名】明細書
【補正対象項目名】００５４
【補正方法】変更
【補正の内容】
【００５４】
情報配信コンピュータシステム８０はＵＲＬg にアクセスが有ると不足分の経路案内地図要求有りと判断し（図１４のステップＳ１３４）、付随するパラメータが示す記憶場所の経路データ（ＲＣ）を読み出すとともに、付随するパラメータが示す着目位置座標を含む所定の縮尺の１単位分の地図及び該単位地図を囲む８個の単位地図の内、既に要求元に地図データの存在するものを除いて地図表示用の地図データを読み出し、経路データを特定の色及び線種及び太さの道路として扱って地図データに組み込むとともに、経路データの始端位置に始端位置マーク、終端位置に終端位置マークを地図データに組み込んだのち、要求元に返信する（ステップＳ１３３）。経路案内地図情報は通信部１２で受信され、コントロール部１７が記憶部１６の一時記憶領域に追加して一時記憶させる（ステップＳ４８）。そして、ステップＳ４４に戻り、記憶部１６の中に現在位置周辺の経路案内用の複数の単位地図（現在位置を含む１つの単位地図と該単位地図を囲む８枚の単位地図）の地図データが全て揃っているか判断し、ＹＥＳであれば、経路案内用の地図データを用いて現在位置を中心とする１画面分の地図画像を描画して表示部１５に表示させる（ステップＳ４５）。以下、同様の動作を繰り返すことで、○○八王子駅を徒歩で出たあと、画面には現在位置を中心とし、徒歩用経路（ＲＣ）と現在位置マークの表示された地図が表示されるので（図２６参照）、道をさがさなくても間違いなく簡単に目的とするお店に到着できる。